(57)【要約】【課題】使いやすいサイドレール及びベッド装置を提供する。【解決手段】実施形態によれば、サイドレールは、第１部材、第２部材、第１連結部、スライド部、及び、可動部材を含む。前記第１連結部は、前記第１部材及び前記第２部材を連結する。前記スライド部は、前記第２部材上の第１位置と前記第２部材上の第２位置との間を前記第２部材に沿ってスライド可能である。前記第２位置と前記第１連結部との間の距離は前記第１位置と前記第１連結部との間の距離よりも長い。前記可動部材は、前記スライド部の動きに伴って前記第２部材に沿って動く。前記第１部材は、凹部を含む。前記スライド部が前記第１位置にあるときに、前記可動部材の少なくとも一部は前記凹部のなかにある。前記スライド部が前記第２位置にあるときに、前記可動部材は前記凹部の外にある。【選択図】図１
2020199073.tif 000002
【特許請求の範囲】
【請求項１】
第１部材と、
第２部材と、
前記第１部材及び前記第２部材を連結する第１連結部と、
前記第２部材上の第１位置と前記第２部材上の第２位置との間を前記第２部材に沿ってスライド可能で、前記第２位置と前記第１連結部との間の距離は前記第１位置と前記第１連結部との間の距離よりも長い、スライド部と、
前記スライド部の動きに伴って前記第２部材に沿って動く可動部材と、
を備え、
前記第１部材は、凹部を含み、
前記スライド部が前記第１位置にあるときに、前記可動部材の少なくとも一部は前記凹部のなかにあり、
前記スライド部が前記第２位置にあるときに、前記可動部材は前記凹部の外にある、サイドレール。
【請求項２】
前記第１連結部は、前記第１部材と前記第２部材との間の第１角度が変化可能に前記第１部材及び前記第２部材を連結し、
前記スライド部が前記第１位置にあるときに、前記スライド部が前記第２位置にあるときよりも、前記第１角度は変化し難くなる、請求項１記載のサイドレール。
【請求項３】
前記第２部材は、第１部材面及び第２部材面を含み、
前記第１部材面は、前記スライド部に対向し、
前記第１部材面は、前記第２部材面と前記スライド部との間にあり、
前記第２部材面は、前記スライド部に覆われていない、請求項１または２に記載のサイドレール。
【請求項４】
前記スライド部は、第１スライド面及び第２スライド面を含み、
前記第２スライド面は、前記第２部材に対向し、
前記第２スライド面は、前記第１スライド面と前記第２部材との間にあり、
前記第１スライド面は、第１端部、第２端部及び中間部を含み、
前記第２端部と前記第１連結部との距離は、前記第１端部と前記第１連結部との間の距離よりも長く、
前記中間部は、前記第１端部と前記第２端部との間にあり、
前記第２端部と前記第２部材との間の距離は、前記中間部と前記第２部材との間の距離よりも長い、請求項１〜３のいずれか１つに記載のサイドレール。
【請求項５】
前記第１端部と前記第２部材との間の距離は、前記中間部と前記第２部材との間の前記距離よりも長い、請求項４記載のサイドレール。
【請求項６】
前記可動部材を前記凹部に向けて押す弾性部材をさらに備えた、請求項１〜５のいずれか１つに記載の記載のサイドレール。
【請求項７】
前記第１部材及び前記第２部材の少なくともいずれかは、前記第１角度の変化を制限するストッパを含む、請求項２記載のサイドレール。
【請求項８】
第３部材をさらに備え、
前記第２部材は、第１部分及び第２部分を含み、
前記第１連結部は、前記第１部分と前記第１部材とを連結し、
前記第３部材は、前記第３部材と前記第２部材との間の第３角度が変化可能に前記第２部分と連結された、請求項２記載のサイドレール。
【請求項９】
請求項１〜８のいずれか１つに記載のサイドレールと、
前記サイドレールが取り付けられるベッド部と、
を備えたベッド装置。
【発明の詳細な説明】
【技術分野】
【０００１】
本発明の実施形態は、サイドレール及びベッド装置に関する。
【背景技術】
【０００２】
ベッド装置にサイドレールが設けられる。使いやすいサイドレールが望まれる。
【先行技術文献】
【特許文献】
【０００３】
【特許文献１】国際公開第２０１３／０６５９０７号
【発明の概要】
【発明が解決しようとする課題】
【０００４】
本発明の実施形態は、使いやすいサイドレール及びベッド装置を提供する。
【課題を解決するための手段】
【０００５】
実施形態によれば、サイドレールは、第１部材、第２部材、第１連結部、スライド部、及び、可動部材を含む。前記第１連結部は、前記第１部材及び前記第２部材を連結する。前記スライド部は、前記第２部材上の第１位置と前記第２部材上の第２位置との間を前記第２部材に沿ってスライド可能である。前記第２位置と前記第１連結部との間の距離は前記第１位置と前記第１連結部との間の距離よりも長い。前記可動部材は、前記スライド部の動きに伴って前記第２部材に沿って動く。前記第１部材は、凹部を含む。前記スライド部が前記第１位置にあるときに、前記可動部材の少なくとも一部は前記凹部のなかにある。前記スライド部が前記第２位置にあるときに、前記可動部材は前記凹部の外にある。
【発明の効果】
【０００６】
本発明の実施形態は、使いやすいサイドレール及びベッド装置を提供できる。
【図面の簡単な説明】
【０００７】
【図１】図１（ａ）〜図１（ｄ）は、第１実施形態に係るサイドレール及びベッド装置を例示する模式図である。
【図２】図２（ａ）〜図２（ｄ）は、第１実施形態に係るサイドレールを例示する模式図である。
【図３】図３（ａ）〜図３（ｃ）は、第１実施形態に係るサイドレール及びベッド装置を例示する模式図である。
【図４】図４（ａ）〜図４（ｃ）は、第１実施形態に係るサイドレールの操作を例示する模式図である。
【図５】図５（ａ）〜図５（ｃ）は、第１実施形態に係るサイドレールの操作を例示する模式図である。
【図６】図６（ａ）〜図６（ｃ）は、第１実施形態に係るサイドレールの操作を例示する模式図である。
【図７】図７（ａ）〜図７（ｃ）は、第１実施形態に係るサイドレールの操作を例示する模式図である。
【図８】図８は、第１実施形態に係るサイドレール及びベッド装置を例示する模式的斜視図である。
【図９】図９は、第１実施形態に係るサイドレール及びベッド装置を例示する模式的側面図である。
【図１０】図１０は、第２実施形態に係るサイドレール及びベッド装置を例示する模式的側面図である。
【図１１】図１１は、第２実施形態に係るサイドレール及びベッド装置を例示する模式的側面図である。
【図１２】図１２は、第２実施形態に係るサイドレール及びベッド装置を例示する模式的側面図である。
【図１３】図１３は、実施形態に係るサイドレール及びベッド装置を例示する模式的側面図である。
【図１４】図１４（ａ）及び図１４（ｂ）は、実施形態に係るサイドレール及びベッド装置を例示する模式的側面図である。
【発明を実施するための形態】
【０００８】
以下に、本発明の実施形態について図面を参照しつつ説明する。  
図面は模式的または概念的なものである。本願明細書と各図において、既出の図に関して前述したものと同様の要素には同一の符号を付して詳細な説明は適宜省略する。
【０００９】
（第１実施形態）  
図１（ａ）〜図１（ｄ）は、第１実施形態に係るサイドレール及びベッド装置を例示する模式図である。  
図２（ａ）〜図２（ｄ）は、第１実施形態に係るサイドレールを例示する模式図である。  
図３（ａ）〜図３（ｃ）は、第１実施形態に係るサイドレール及びベッド装置を例示する模式図である。
【００１０】
図１（ａ）は、ベッド装置２１０を例示する斜視図である。図１（ｂ）は、サイドレール１１０の一部を例示する断面図である。図１（ｃ)は、図１（ｂ）のＡ１−Ａ２線断面図である。図１（ｄ）は、サイドレール１１０の一部を例示する側面図である。
【００１１】
図１（ａ）に示すように、実施形態に係るベッド装置２１０は、ベッド部７０Ｂを含む。ベッド部７０Ｂは、ベッドフレーム７５Ｂを含む。ベッドフレーム７５Ｂは、例えば、ベースフレーム７５Ｓの上に設けられる。この例では、ベースフレーム７５Ｓの下にキャスタ７５Ｃが設けられており、ベッド装置２１０は、容易に移動可能である。ベッド装置２１０、例えば、病院または介護施設などで用いられる。ベッド装置２１０は、家庭などで用いられても良い。
【００１２】
ベッドフレーム７５Ｂの上に、ベッドボトム７１が設けられる。後述するように、ベッドボトム７１に含まれる複数の部分の角度が変更可能でも良い。ベッドボトム７１の高さがが変更可能でも良い。ベッドボトム７１の上にマットレス７６が設けられる。マットレス７６の上に、ベッド装置２１０の使用者が横たわることができる。
【００１３】
この例では、ベッド装置２１０は、ヘッドボード７８Ｈ及びフットボード７８Ｆを含む。ヘッドボード７８Ｈとフットボード７８Ｆとの間にマットレス７６が設けられる。マットレス７６の上に使用者が横たわったときに、ヘッドボード７８Ｈは、使用者の頭側に設けられる。フットボード７８Ｆは、使用者の足側に設けられる。
【００１４】
ベッド装置２１０における高さ方向をＺ軸方向とする。Ｚ軸方向に対して垂直な１つの方向をＸ軸方向とする。Ｚ軸方向及びＸ軸方向に対して垂直な方向をＹ軸方向とする。ヘッドボード７８Ｈからフットボード７８Ｆへの方向は、Ｘ軸方向に沿う。使用者がベッド装置２１０に仰向けに横たわったときにおいて、右側から左側への方向は、Ｙ軸方向に沿う。
【００１５】
図１（ａ）に示すよう、サイドレール１１０は、ベッド部７０Ｂのベッドフレーム７５Ｂに取り付けられることが可能である。実施形態に係るベッド装置２１０は、実施形態に係るサイドレール１１０と、サイドレール１１０が取り付けられるベッド部７０Ｂと、を含む。
【００１６】
この例では、サイドレール１１０は、ベッド部７０Ｂの右側に取り付けられている。そして、別のサイドレール１１０Ｌがベッド部７０Ｂの左側に取り付けられても良い。サイドレール１１０がベッド部７０Ｂの左側に設けられ、サイドレール１１０Ｌがベッド部７０Ｂの右側に設けられても良い。別のサイドレール１１０Ｌは、サイドレール１１０と同様の構成を有しても良い。例えば、サイドレール１１０と別のサイドレール１１０Ｌとは、ベッドの内側及び外側の違いを除いて、同様の構成を有して良い。以下では、サイドレール１１０に関して説明する。
【００１７】
図１（ａ）に示すように、サイドレール１１０は、例えば、第１部材１１、第２部材１２、及び、第１連結部２１を含む。第１連結部２１は、第１部材１１及び第２部材１２を連結する。第１連結部２１は、例えば、可動部品である。第１部材１１は、例えば、縦桟である。第２部材１２は、例えば、上横桟である。
【００１８】
例えば、第１部材１１及び第２部材１２を含む平面は、Ｘ−Ｚ平面に沿う。第１連結部２１は、例えば、Ｙ軸方向に沿って第２部材１２の一部を貫いても良い。第１連結部２１は、例えば、Ｙ軸方向に沿って第１部材１１の一部を貫いても良い。
【００１９】
図１（ａ）に示すように、この例では、サイドレール１１０は、第３部材１３及び第２連結部２２を含む。第３部材１３は、第２部材１２の一部と連結される。例えば、第２部材１２は、第１部分１２ｐ及び第２部分１２ｑを含む。第１連結部２１は、第１部分１２ｐと第１部材１１とを連結する。第２連結部２２は、第２部分１２ｑと第３部材１３とを連結する。第３部材１３は、別の縦桟である。この例では、サイドレール１１０は、別の横桟１６をさらに含む。横桟１６は、例えば、下横桟である。この例では、横桟１６に、指ばさみ防止ストッパ１６ｓが設けられている。
【００２０】
サイドレール１１０は、第３連結部２３及び第４連結部２４をさらに含んでも良い。例えば、第３連結部２３は、第１部材１２の端部をベッドフレーム７５Ｂと連結する。例えば、第４連結部２４は、第３部材１３の端部をベッドフレーム７５Ｂと連結する。
【００２１】
このように、例えば、第１部材１１の１つの端部が、ベッドフレーム７５Ｂと連結されている。例えば、第１部材１１の別の端部が、第１連結部２１に連結されている。
【００２２】
例えば、第１連結部２１は、第１部材１１と第２部材１２との間の第１角度θ１（図３（ａ）〜図３（ｃ）参照）が変化可能に、第１部材１１及び第２部材１２を連結する。例えば、第２連結部２２は、第２部材１２と第３部材１３との間の第３角度θ３（図３（ａ）〜図３（ｃ）参照）が変化可能に、第２部材１２及び第３部材１３を連結する。例えば、第３連結部２３は、第１部材１１とベッドフレーム７５Ｂとの間の第２角度θ２（図３（ａ）〜図３（ｃ）参照）が変化可能に、第１部材１１及びベッドフレーム７５Ｂを連結する。例えば、第４連結部２４は、第３部材１３とベッドフレーム７５Ｂとの間の第４角度θ４（図３（ａ）〜図３（ｃ）参照）が変化可能に、第３部材１３及びベッドフレーム７５Ｂを連結する。
【００２３】
このように、例えば、第３部材１３と、ベッド部７０Ｂのフレーム（例えばベッドフレーム７５Ｂ）と、の間の第４角度θ４が変化可能に、第３部材１３は、上記のフレームと連結可能である。例えば、第１部材１１と、ベッド部７０Ｂのフレーム（例えば、ベッドフレーム７５Ｂ）と、の間の第２角度θ２が変化可能に、第１部材１１は、上記のフレームと連結可能である。
【００２４】
このような角度の変化により、第２部材１２の高さＨ２、第１連結部２１の高さＨ１、及び、第２連結部２２の高さなどが変化する（図３（ａ）〜図３（ｃ）参照）。この例では、第２連結部２２の高さは、第１連結部の高さＨ１と実質的に同じである。
【００２５】
図３（ａ）〜図３（ｃ）に示すように、例えば、第１部材１１がベッド部７０Ｂのフレーム（例えば、ベッドフレーム７５Ｂ）に取り付けられたときに、第１角度θ１に応じて、ベッド部７０Ｂのフレーム（例えば、ベッドフレーム７５Ｂ）と、第１連結部２１と、の間の距離（ベッドフレーム７５Ｂを規準にしたときの高さＨ１）が変化する。第１部材１１がベッド部７０Ｂのフレーム（例えば、ベッドフレーム７５Ｂ）に取り付けられたときに、第１角度θ１に応じて、ベッド部７０Ｂのフレーム（例えばベッドフレーム７５Ｂ）を規準にしたときの、第２部材１２の高さＨ２が変化する。
【００２６】
実施形態において、上記の高さ（例えば、高さＨ１及びＨ２）は、高い状態と、低い状態と、を有することが可能である。図１（ａ）は、これらの高さが高いときの状態（第１状態）を例示している。
【００２７】
図１（ａ）に示すように、サイドレール１１０は、スライド部３１をさらに含む。スライド部３１は、第２部材１２に沿ってスライド可能である。例えば、操作者により、スライド部３１がスライドされる。操作者は、例えば、ベッド装置２１０の使用者の介護者または医療従事者などである。操作者は、例えば、ベッド装置２１０の使用者でも良い。
【００２８】
スライド部３１は、第２部材１２上の複数の位置（第１位置及び第２位置など）にあることができる。スライド部３１の位置によって、第１角度θ１の固定状態及び可変状態が制御できる。
【００２９】
図１（ｂ）に示すように、この例では、サイドレール１１０は、可動部材３５を含む。可動部材３５は例えば、ピン部である。可動部材３５は、スライド部３１の動きに伴って、第２部材１２に沿って動く。一方、第１部材１１は、凹部１１ｄを含む。スライド部３１が、図１（ｂ）に例示する位置にあるときに、可動部材３５の少なくとも一部は、凹部１１ｄのなかにある。これにより、第１部材１１と第２部材１２との間の第１角度θ１は、固定され、変化しない。後述するように、スライド部３１が別の位置にあるときに、可動部材３５は、凹部１１ｄの外にある。これにより、第１部材１１と第２部材１２との間の第１角度θ１は、可変状態になる。
【００３０】
以下、スライド部３１の動きの例について説明する。
【００３１】
図２（ａ）は、スライド部３１が第１位置ＰＸ１にあるときの状態を例示している。この場合、可動部材３５の少なくとも一部は、凹部１１ｄのなかにある。スライド部３１が第１位置ＰＸ１であるときに、第１部材１１及び第２部材１２は、ロック状態ＳＬＫ（例えば固定状態）である。図２（ａ）の状態において、例えば、高さＨ１及びＨ２は、第１状態ＳＴ１（図３（ａ）参照）である。第１状態ＳＴ１において、高さＨ１及びＨ２は、最も高い。第１状態ＳＴ１は、サイドレール１１０の１つの状態である。
【００３２】
図２（ｂ）は、スライド部３１が別の位置（第２位置ＰＸ２）にあるときの状態を例示している。スライド部３１が第２位置ＰＸ２であるときに、可動部材３５は、凹部１１ｄの外にある。これにより、第１部材１１及び第２部材１２は、非ロック状態ＳＵＬ（例えば非固定状態）である。
【００３３】
図２（ｂ）に示すように、ロック状態ＳＬＫから非ロック状態ＳＵＬへ移行するときのスライド部３１のスライドの向きは、第１位置ＰＸ１から第２位置ＰＸ２への向きであり、図２（ｂ）の矢印３１Ａの向きである。この例では、矢印３１Ａの向きは、足側から頭側への向きの成分を含む。
【００３４】
図２（ｃ）は、スライド部３１が第２位置ＰＸ２になった後の１つの状態を例示している。図２（ｃ）に例示する状態において、可動部材３５は、凹部１１ｄの外にある。この場合も、第１角度θ１は変化可能である。図２（ｃ）に示すように、第１部材１１及び第２部材１２は、図２（ａ）及び図２（ｂ）に示す状態から変化している。
【００３５】
図２（ｄ）は、図２（ｃ）に例示した後の状態を例示している。図２（ｄ）に例示する状態において、可動部材３５は、凹部１１ｄの外にある。この場合も、第１角度θ１は変化可能である。第１部材１１及び第２部材１２は、図２（ｃ）に示す状態からさらに変化している。図２（ｄ）の状態において、例えば、高さＨ１及びＨ２は、第２状態ＳＴ２（図３（ｃ）参照）である。第２状態ＳＴ２において、高さＨ１及びＨ２は、最も低い。第２状態ＳＴ２は、サイドレール１１０の別の１つの状態である。
【００３６】
図２（ａ）及び図２（ｄ）に示すように、第１状態ＳＴ１における第１連結部２１の位置から第２状態ＳＴ２における第１連結部２１の位置への向きは、図２（ｄ）の矢印２１Ａの向きである。この例では、矢印２１Ａの向きは、頭側から足側への向きの成分を含む。
【００３７】
図２（ｃ）に例示した状態は、第１状態ＳＴ１と第２状態ＳＴ２の中間の第３状態ＳＴ３（図３（ｂ）参照）に対応する。第３状態ＳＴ３は、サイドレール１１０のさらに別の１つの状態である。
【００３８】
第１位置ＰＸ１（図２（ａ）参照）は、第２部材１２上の１つの位置である。第２位置ＰＸ２（図２（ｂ）参照）は、第２部材１２上の別の１つの位置である。スライド部３１は、例えば、第１位置ＰＸ１と第２位置ＰＸ２との間を、第２部材１２に沿ってスライド可能である。第２位置ＰＸ２と第１連結部２１との間の距離ｄ２（図２（ｂ）参照）は、第１位置ＰＸ１と第１連結部２１との間の距離ｄ１（図２（ａ）参照）よりも長い。距離ｄ１は、例えば、スライド部３１が第１位置ＰＸ１にあるときのスライド部３１と第１連結部２１との間の最短距離に対応する。距離ｄ２は、例えば、スライド部３１が第２位置ＰＸ２にあるときのスライド部３１と第１連結部２１との間の最短距離に対応する。
【００３９】
例えば、スライド部３１は、第１連結部２１に最も近い部分を含む。第１位置ＰＸ１及び第２位置ＰＸ２は、例えば、スライド部３１がスライドした２つの状態における、第１連結部２１に最も近い部分の位置としても良い。
【００４０】
スライド部３１が第１位置ＰＸ１にあるとき（図２（ａ）参照）に、第１角度θ１は、固定状態になる。スライド部３１が第２位置ＰＸ２にあるとき（図２（ｂ）参照）に、第１角度θ１は可変状態になる。
【００４１】
実施形態においては、スライド部３１が第２部材１２に沿ってスライドすることで、第１部材１１及び第２部材１２を、ロック状態ＳＬＫ（例えば固定状態）から、非ロック状態ＳＵＬ（例えば非固定状態）にすることができる。実施形態によれば、使いやすいサイドレール及びベッド装置が提供できる。
【００４２】
例えば、サイドレールにロックを解除するボタンなどが設けられる参考例がある。このような参考例においては、ボタンの操作が容易ではない。実施形態においては、より使いやすい。
【００４３】
図２（ｂ）に示すように、サイドレール１１０は、マーク部１２Ｍを含んでも良い。マーク部１２Ｍは、例えば、第２部材１２に設けられる。スライド部３１が第２位置ＰＸ２にあるときに、マーク部１２Ｍは、スライド部３１に覆われない。この状態において、例えば、マーク部１２Ｍは見える。
【００４４】
図２（ａ）に示すように、スライド部３１が第１位置ＰＸ１にあるときに、マーク部１２Ｍは、スライド部３１に覆われる。この状態において、例えば、マーク部１２Ｍは見えない。
【００４５】
マーク部１２Ｍを設けることで、スライド部３１の位置が分かりやすくなる。例えば、マーク部１２Ｍは、第２部材１２の一部に設けられた色の異なる部分でも良い。
【００４６】
例えば、サイドレール１１０が第１状態ＳＴ１のときに、スライド部３１は、第１位置ＰＸ１と第２位置ＰＸ２との間をスライド可能である。サイドレール１１０が第１状態ＳＴ１のときに、ロック状態ＳＬＫ（例えば固定状態）と非ロック状態ＳＵＬ（例えば非固定状態）との間を遷移可能である。
【００４７】
図１（ｂ）に示すように、例えば、サイドレール１１０は、弾性部材３６をさらに含んでも良い。弾性部材３６は、可動部材３５を凹部１１ｄに向けて押す。弾性部材３６の１つの端部は、第２部材１２の一部に接する。弾性部材３６の別の端部は、可動部材３５に接する。弾性部材３６は、例えば、各種のばねを含んでも良い。弾性部材３６は、例えば、各種のゴムなどを含んでも良い。
【００４８】
例えば、操作者がスライド部３１に力を加えて、スライド部３１を第２位置ＰＸ２に向けてスライドさせると、弾性部材３６が変形して、可動部材３５が凹部１１ｄから抜ける。これにより、第１角度θ１が可変状態（例えば、非ロック状態ＳＵＬ）になる。例えば、操作者が力を弱めると、弾性部材３６の弾性により、弾性部材３６の形が元に戻り、可動部材３５の少なくとも一部は凹部１１ｄのなかに入る。これにより、第１角度θ１は固定状態（例えば、ロック状態ＳＬＫ）になる。
【００４９】
図１（ｃ）に示すように、第２部材１２は、第１部材面１２ｆ及び第２部材面１２ｇを含む。第１部材面１２ｆは、スライド部３１に対向する。第１部材面１２ｆは、第２部材面１２ｇとスライド部３１との間にある。第２部材面１２ｇは、スライド部３１に覆われていない。第１部材面１２ｆの少なくとも一部は、スライド部３１に覆われている。第１部材面１２ｆは、例えば、上面である。第２部材面１２ｇは、例えば、下面である。第２部材面１２ｇがスライド部３１に覆われていないことで、操作者は第２部材面１２ｇに触れることができる。操作者は、第２部材面１２ｇに触れつつスライド部３１をスライドさせることができる。良好な操作性が得られる。
【００５０】
図１（ｃ）に示すように、第２部材１２は、レール側面１２ｓを含む。レール側面１２ｓは、第１部材面１２ｆと第２部材面１２ｇとの間である。スライド部３１の一部は、レール側面１２ｓに対向する。例えば、レール側面１２ｓは、スライド部３１に覆われる。
【００５１】
第２部材面１２ｇから第１部材面１２ｆへの第１方向は、例えば、Ｚ軸方向である。第２部材１２のＺ軸方向の中心からレール側面１２ｓへの方向は、例えば、Ｙ軸方向に沿う。
【００５２】
図１（ｃ）に示すように、スライド部３１は、第１スライド領域３１ｐ及び第２スライド領域３１ｑを含む。この例では、第２部材面１２ｇから第１部材面１２ｆへの第１方向（Ｚ軸方向）において、第２部材１２の一部は、第２スライド領域３１ｑと第１スライド領域３１ｐとの間にある。第２部材１２の一部がＺ軸方向においてスライド部３１の２つの領域の間にあることで、スライド部３１のＺ軸方向における位置が安定になる。これにより、スライド部３１が第２部材１２に沿うスライド動作が安定になる。
【００５３】
図１（ｃ）に示すように、スライド部３１は、第１スライド面３１ｆ及び第２スライド面３１ｇを含む。第２スライド面３１ｇは、第２部材１２（例えば、第１部材面１２ｆ）に対向する。第２スライド面３１ｇは、例えば、Ｚ軸方向において、第１スライド面３１ｆと第２部材１２との間にある。第１スライド面３１ｆは、例えば、上面であう。第２スライド面３１ｇは、例えば、下面である。
【００５４】
図１（ｂ）及び図１（ｄ）に示すように、第１スライド面３１ｆは、第１端部３１ｆａ、第２端部３１ｆｂ及び中間部３１ｆｃを含む。図１（ｄ）に示すように、第２端部３１ｆｂと第１連結部２１との距離は、第１端部３１ｆａと第１連結部２１との間の距離よりも長い。第１端部３１ｆａは、第１連結部２１の側の端部である。第２端部３１ｆｂは、第１連結部２１から遠い側の端部である。中間部３１ｆｃは、第１端部３１ｆａと第２端部３１ｆｂとの間にある。
【００５５】
図１（ｂ）に示すように、第２端部３１ｆｂと第２部材１２（例えば第１部材面１２ｆ）との間の距離Ｄｚ２は、中間部３１ｆｃと第２部材１２（例えば第１部材面１２ｆ）との間の距離Ｄｚ３よりも長い。例えば、第２部材１２を規準にして、第２端部３１ｆｂは、中間部３１ｆｃよりも高い。第２端部３１ｆｂが高いことで、操作者は、第２端部３１ｆｂにスライドさせる力を加え易い。
【００５６】
図１（ｂ）に示すように、第１端部３１ｆａと第２部材１２（例えば第１部材面１２ｆ）との間の距離Ｄｚ１は、中間部３１ｆｃと第２部材１２との間の距離Ｄｚ３よりも長い。例えば、距離Ｄｚ１は、第２端部３１ｆｂと第２部材１２との間の距離Ｄｚ２と、中間部３１ｆｃと第２部材１２との間の距離Ｄｚ３と、の間でも良い。例えば、距離Ｄｚ３は、短い。中間部３１ｆｃが低いことで、操作者は、中間部３１ｆｃを掴み易い。
【００５７】
スライド部３１がこのような形状を有することで、より使いやすいサイドレールが提供できる。
【００５８】
図１（ｂ）、及び、図２（ａ）〜図２（ｄ）に示すように、第１部材１１は、第１周囲部１１ｓｐを含む。第１周囲部１１ｓｐは、第１連結部２１の周りを動く（図２（ａ）〜図２（ｄ）参照）。第１周囲部１１ｓｐは、サイドレール１１０（第１部材１１及び第２部材１２）が非ロック状態ＳＵＬのときに、第１連結部２１の周りを動くことができる。第１部材１１及び第２部材１２が１つの状態のときに、第１周囲部１１ｓｐは、第１部分１２ｐの端部１２ｐｅに接することができる（図２（ａ）参照）。第１周囲部１１ｓｐ及び第１部分１２ｐが互いに接したときに、第１角度θ１の変化が制限される。第１周囲部１１ｓｐ、及び、第１部分１２ｐの端部１２ｐｅは、例えば、ストッパとして機能する。第１周囲部１１ｓｐを設けることで、例えば、第１角度θ１が所望でない状態になることが抑制できる。第１周囲部１１ｓｐを設けることで、例えば、第１角度θ１が所望の範囲内で変化することができる。
【００５９】
このように、例えば、第１部材１１及び第２部材１２の少なくともいずれかは、第１角度θ１の変化を制限するストッパ（例えば、第１周囲部１１ｓｐ、及び、第１部分１２ｐの端部１２ｐｅなど）を含むことが好ましい。
【００６０】
図３（ａ）において、サイドレール１１０は、第１状態ＳＴ１である。第１状態ＳＴ１において、高さＨ１及びＨ２は、最も高い。このとき、スライド部３１は第１位置ＰＸ１にあり（図２（ａ）参照）、第１部材１１及び第２部材１２は、ロック状態ＳＬＫ（図２（ａ）参照）である。
【００６１】
図３（ｃ）において、サイドレール１１０は、第２状態ＳＴ２である。第２状態ＳＴ２において、高さＨ１及びＨ２は、最も低い。
【００６２】
図３（ｂ）において、サイドレール１１０は、第３状態ＳＴ３である。第３状態ＳＴ３において、高さＨ１及びＨ２は、第１状態ＳＴ１における高さと第２状態ＳＴ２における高さとの間である。
【００６３】
スライド部３１が第２位置ＰＸ２にあるときに、第１部材１１及び第２部材１２は、非ロック状態ＳＵＬ（図２（ｂ）参照）になり、第１部材１１及び第２部材１２は、第３状態ＳＴ３を経て第２状態ＳＴ２になる。
【００６４】
第１部材１１及び第２部材１２は、第２状態ＳＴ２から、第３状態ＳＴ３を経て、第１状態ＳＴ１になる。例えば、弾性部材３６を用いることで、可動部材３５の少なくとも一部が凹部１１ｄに入る。例えば、スライド部３１を操作することなく、ロック状態ＳＬＫに移行できる。
【００６５】
図３（ａ）及び図３（ｃ）に示すように、第１状態ＳＴ１におけるベッド部７０Ｂのフレーム（例えば、ベッドフレーム７５Ｂ）と第１連結部２１との間の距離（例えば、高さＨ１）は、第２状態ＳＴ１におけるフレーム（例えば、ベッドフレーム７５Ｂ）と第１連結部２１との間の距離（例えば、高さＨ１）よりも長い。第１状態ＳＴ１における第１連結部２１の位置から第２状態ＳＴ２における第１連結部２１の位置への向きは、第１状態ＳＴ１における第１位置ＰＸ１から第１状態ＳＴ１における第２位置ＰＸ２への向きと逆の成分を含む。
【００６６】
例えば、第１状態ＳＴ１における第１連結部２１の位置から第２状態ＳＴ２における第１連結部２１の位置への向き（図２（ｄ）の矢印２１Ａの向き）は、頭側から足側への向き（ヘッドボード７８Ｈからフットボード７８Ｆへの向き）の成分を含む。第１状態ＳＴ１における第１位置ＰＸ１から第１状態ＳＴ１における第２位置ＰＸ２への向き（図２（ｂ）の矢印３１Ａの向き）は、足側から頭側への向き（フットボード７８Ｆからヘッドボード７８Ｈへの向き）の成分を含む。
【００６７】
このように、ロック状態ＳＬＫから非ロック状態ＳＵＬへ移行するときのスライド部３１のスライドの向き（第１位置ＰＸ１から第２位置ＰＸ２への向きであり、図２（ｂ）の矢印３１Ａの向き）が、第１状態ＳＴ１における第１連結部２１の位置から第２状態ＳＴ２における第１連結部２１の位置への向き（図２（ｄ）の矢印２１Ａの向き）とは逆の成分を含む。これにより、より安全にスライド部３１をスライドさせることができる。より安全にロック状態ＳＬＫから非ロック状態ＳＵＬへ移行することができる。
【００６８】
図３（ａ）及び図３（ｃ）に示すように、第２状態ＳＴ２における第１角度θ１は、第１状態ＳＴ１における第１角度θ１よりも小さい。第２状態ＳＴ２における第２角度θ２は、第１状態ＳＴ１における第２角度θ２よりも大きい。第２状態ＳＴ２における第３角度θ３は、第１状態ＳＴ１における第３角度θ３よりも大きい。第２状態ＳＴ２における第４角度θ４は、第１状態ＳＴ１における第４角度θ４よりも小さい。
【００６９】
第３状態ＳＴ３におけるこれらの角度のそれぞれは、第１状態ＳＴ１におけるこれらの角度と、第２状態ＳＴ２におけるこれらの角度と、の間である。
【００７０】
第２状態ＳＴ２において、第２部材１２の上面（第１部材面１２ｆ）の高さは、マットレス７６(図１（ａ）参照）の上面の高さ以下であることが好ましい。第２状態ＳＴ２において、ベッド装置２１０の使用者は、ベッド装置２１０から立ち上がり易い。
【００７１】
第１状態ＳＴ１において、第２部材１２の上面（第１部材面１２ｆ）の高さは、マットレス７６の上面の高さよりも高い。第１状態ＳＴ１において、ベッド装置２１０の使用者がベッド装置２１０から転落することが抑制できる。
【００７２】
以下、スライド部３１の操作のいくつかの例について説明する。  
図４（ａ）〜図４（ｃ）、図５（ａ）〜図５（ｃ）、図６（ａ）〜図６（ｃ）、及び、図７（ａ）〜図７（ｃ）は、第１実施形態に係るサイドレールの操作を例示する模式図である。  
図４（ａ）〜図４（ｃ）、図５（ａ）〜図５（ｃ）、図６（ａ）〜図６（ｃ）、及び、図７（ａ）〜図７（ｃ）は、第１〜第４例にそれぞれ対応する。
【００７３】
図４（ａ）に示すように、第１例の第１状態ＳＴ１において、操作者８２ｈは、第１指８２ａと手のひら８２ｐとでスライド部３１を挟む。第５指８２ｅは、第２部材１２の下側にある。第１指８２ａは、第２端部３１ｆｂの側にあり、第５指８２ｅは、第１端部３１ｆａの側にある。この状態において、サイドレール１１０は、ロック状態ＳＬＫである。例えば、マーク部１２Ｍは、スライド部３１に覆われ、実質的に見えない。
【００７４】
図４（ｂ）に示すように、操作者８２ｈは、手のひら８２ｐによってスライド部３１の第２端部３１ｆｂ（突出部）を押す。これにより、サイドレール１１０は、非ロック状態ＳＵＬに移行する。例えば、マーク部１２Ｍは、スライド部３１から露出し、見えるようになる。
【００７５】
図４（ｃ）に示すように、操作者８２ｈは、手のひら８２ｐと指（例えば、第２指８２ｂ及び第５指８２ｅなど）によって、第２部材１２を掴む。第２指８２ｂ及び第５指８２ｅなどは、第２部材１２の第２部材面１２ｇに触れる。操作者８２ｈは、手のひら８２ｐと指（例えば、第２指８２ｂ及び第５指８２ｅなど）によって、第２部材１２を引く。これにより、サイドレール１１０は、第３状態ＳＴ３を経て第２状態ＳＴ２になる。
【００７６】
図５（ａ）に示すように、第２例の第１状態ＳＴ１において、操作者８２ｈは、第１指８２ａをスライド部３１の上に置く。第５指８２ｅは、第２部材１２の下面（第２部材面１２ｇ）に触れる。この状態において、サイドレール１１０は、ロック状態ＳＬＫである。例えば、マーク部１２Ｍは、スライド部３１に覆われ、実質的に見えない。
【００７７】
図５（ｂ）に示すように、操作者８２ｈは、第１指８２ａによってスライド部３１の第２端部３１ｆｂ（突出部）を押す。これにより、サイドレール１１０は、非ロック状態ＳＵＬに移行する。例えば、マーク部１２Ｍは、スライド部３１から露出し、見えるようになる。
【００７８】
図５（ｃ）に示すように、操作者８２ｈは、第１指８２ａと他の指（第２指８２ｂ及び第５指８２ｅなど）によって、第２部材１２を掴む。他の指（第２指８２ｂ及び第５指８２ｅなど）などは、第２部材１２の第２部材面１２ｇに触れる。操作者８２ｈは、第１指８２ａと他の指（例えば、第２指８２ｂ及び第５指８２ｅなど）によって、第２部材１２を引く。これにより、サイドレール１１０は、第３状態ＳＴ３を経て第２状態ＳＴ２になる。
【００７９】
図６（ａ）に示すように、第３例の第１状態ＳＴ１において、操作者８２ｈは、手のひら８２ｐをスライド部３１の上に置く。第２指８２ｂ及び第５指８２ｅなどは、第２部材１２よりも下にある。この状態において、サイドレール１１０は、ロック状態ＳＬＫである。例えば、マーク部１２Ｍは、スライド部３１に覆われ、実質的に見えない。
【００８０】
図６（ｂ）に示すように、操作者８２ｈは、手のひら８２ｐによってスライド部３１の第２端部３１ｆｂ（突出部）を引く。これにより、サイドレール１１０は、非ロック状態ＳＵＬに移行する。例えば、マーク部１２Ｍは、スライド部３１から露出し、見えるようになる。
【００８１】
図６（ｃ）に示すように、操作者８２ｈは、手のひら８２ｐと指（第２指８２ｂ及び第５指８２ｅなど）によって、第２部材１２を掴む。指（第２指８２ｂ及び第５指８２ｅなど）などは、第２部材１２の第２部材面１２ｇに触れる。操作者８２ｈは、第１指８２ａと指（第２指８２ｂ及び第５指８２ｅなど）によって、第２部材１２を押す。これにより、サイドレール１１０は、第３状態ＳＴ３を経て第２状態ＳＴ２になる。
【００８２】
図７（ａ）に示すように、第４例の第１状態ＳＴ１において、操作者８２ｈは、第１指８２ａをスライド部３１の第２端部３１ｆｂの上に置く。このとき、第２指８２ｂは、第２部材１２の第２部材面１２ｇを触ることができる。例えば、操作者８２ｈの手のひら８２ｐは、第２部材１２の上にある。この状態において、サイドレール１１０は、ロック状態ＳＬＫである。例えば、マーク部１２Ｍは、スライド部３１に覆われ、実質的に見えない。
【００８３】
図７（ｂ）に示すように、操作者８２ｈは、第１指８２ａによってスライド部３１の第２端部３１ｆｂ（突出部）を引く。これにより、サイドレール１１０は、非ロック状態ＳＵＬに移行する。例えば、マーク部１２Ｍは、スライド部３１から露出し、見えるようになる。
【００８４】
図７（ｃ）に示すように、操作者８２ｈは、第１指８２ａ及び第２指８２ｂなどによって第２部材１２を押す。これにより、サイドレール１１０は、第３状態ＳＴ３を経て第２状態ＳＴ２になる。
【００８５】
実施形態においては、操作者８２ｈは、操作者８２ｈが操作し易い方法で、サイドレール１１０を操作できる。
【００８６】
図８は、第１実施形態に係るサイドレール及びベッド装置を例示する模式的斜視図である。  
図８に示すように、ベッド装置２１０のベッドフレーム７５Ｂの高さは、図１（ａ）に例示した状態よりも高い。このように、ベッドフレーム７５Ｂの高さは、変更可能でも良い。例えば、ベッドフレーム７５Ｂは、リンク機構７５Ｌによりベースフレーム７５Ｓに取り付けられる。リンク機構７５Ｌの長さがアクチュエータ７５Ａにより変更可能である。これにより、ベッドフレーム７５Ｂの高さが変更できる。
【００８７】
ベッドフレーム７５Ｂの上に、ベッドボトム７１が設けられる。この例では、ベッドボトム７１は、背ボトム７０ａ、膝ボトム７０ｂ、脚ボトム７０ｃ及び腰ボトム７０ｄを含む。背ボトム７０ａ、膝ボトム７０ｂ及び脚ボトム７０ｃのそれぞれの角度が変更可能である。
【００８８】
図９は、第１実施形態に係るサイドレール及びベッド装置を例示する模式的側面図である。  
図９に示すように、ベッド装置２１０Ａは、サイドレール１１０Ａと、サイドレール１１０Ａが取り付けられるベッド部７０Ｂと、を含む。サイドレール１１０Ａにおいては、第１部材１１は実質的に直線状である。サイドレール１１０Ａにおけるこれ以外の構成は、例えば、サイドレール１１０の構成と同様である。サイドレール１１０Ａ及びベッド装置２１０Ａにおいても、使いやすいサイドレール及びベッド装置が提供できる。
【００８９】
（第２実施形態）  
図１０は、第２実施形態に係るサイドレール及びベッド装置を例示する模式的側面図である。  
図１０に示すように、第２実施形態に係るサイドレール１２０においては、第３部材１３が省略されている。サイドレール１２０は、第１部材１１、第２部材１２、第１連結部２１及びスライド部３１を含む。サイドレール１２０においても、第１連結部２１は、第１部材１１と第２部材１２との間の第１角度θ１が変化可能に、第１部材１１及び第２部材１２を連結する。スライド部３１は、第２部材１２上の第１位置ＰＸ１（図２（ａ）参照）と、第２部材１２上の第２位置ＰＸ２（図２（ｂ）参照）との間を、第２部材１２に沿ってスライド可能である。第２位置ＰＸ２と第１連結部２１との間の距離ｄ１（図２（ａ）参照）は、第１位置ＰＸ１と第１連結部２１との間の距離ｄ２（図２（ｂ）参照）よりも長い。サイドレール１２０においても、スライド部３１が第１位置ＰＸ１にあるときに、第１角度θ１は固定状態になる。スライド部３１が第２位置ＰＸ２にあるときに、第１角度θ１は可変状態になる。第２実施形態においても、使いやすいサイドレール及びベッド装置が提供できる。
【００９０】
ベッド装置２２０は、サイドレール１２０と、ベッド部７０Ｂのフレーム（例えばベッドフレーム７５Ｂ）と、を含む。例えば、ベッドフレーム７５Ｂにおいて、Ｘ軸方向に延びる孔７５Ｂｈが設けられている。第３連結部２３は、第１部材１１の端部を、孔７５Ｂｈを介して、ベッドフレーム７５Ｂと連結する。第１角度θ１の変化に応じて、第３連結部２３が、孔７５Ｂｈに沿ってＸ軸方向に移動できる。
【００９１】
図１１は、第２実施形態に係るサイドレール及びベッド装置を例示する模式的側面図である。  
図１１に示すように、第２実施形態に係るサイドレール１２１においては、図１０に関して説明したサイドレール１２０に加えて、別のサイドレール１２１が設けられる。この例では、サイドレール１２０は、ヘッドボード７８Ｈの側に設けられ、サイドレール１２１は、フットボード７８Ｆの側に設けられる。別のサイドレール１２１は、サイドレール１２０と同様の構成を有して良い。
【００９２】
図１２は、第２実施形態に係るサイドレール及びベッド装置を例示する模式的側面図である。  
図１２に示すように、第２実施形態に係るサイドレール１２０において、ベッドフレーム７５Ｂにおいて、Ｘ軸方向に延びる孔７５Ｂｈが設けられている。第２連結部２２は、第２部材１２の第２部分１２ｑを、孔７５Ｂｈを介して、ベッドフレーム７５Ｂと連結する。第１角度θ１の変化に応じて、第２部材１２の第２部分１２ｑと連結された第２連結部２２が、孔７５Ｂｈに沿ってＸ軸方向に移動できる。
【００９３】
図１３は、実施形態に係るサイドレール及びベッド装置を例示する模式的側面図である。  
図１３に例示するように、ベッド装置２３０は、サイドレール１３０及び１３１を含む。サイドレール１３０及び１３１も、第１部材１１及び第２部材１２を含む。サイドレール１３０及び１３１においては、横桟１６が省略されている。サイドレール１３０及び１３１におけるこの他の構成は、例えば、サイドレール１１０などの構成と同様で良い。
【００９４】
図１４（ａ）及び図１４（ｂ）は、実施形態に係るサイドレール及びベッド装置を例示する模式的側面図である。  
図１４（ａ）に例示するように、ベッド装置２４０は、サイドレール１４０及び１４１を含む。サイドレール１４０及び１４１も、第１部材１１及び第２部材１２を含む。サイドレール１４０及び１４１においては、横桟１６が省略されている。サイドレール１４０及び１４１におけるこの他の構成は、例えば、サイドレール１１０などの構成と同様で良い。サイドレール１４０及び１４１の例のように、サイドレール１４０及び１４１は、ベッド部７０Ｂの中央部分に設けられても良い。図１４（ａ）及び図１４（ｂ）に示すように、サイドレール１４０及び１４１の高さが可変である。
【００９５】
サイドレール１２０、１２１、１３０、１３１、１４０及び１４１、並びに、ベッド装置２２０〜２２２、２３０及び２４０に、サイドレール１１０及びベッド装置２１０に関して説明した構成が適用できる。
【００９６】
実施形態によれば、使いやすいサイドレール及びベッド装置が提供できる。
【００９７】
以上、具体例を参照しつつ、本発明の実施の形態について説明した。しかし、本発明は、これらの具体例に限定されるものではない。例えば、サイドレールに含まれる部材、連結部及びスライド部などの各要素の具体的な構成に関しては、当業者が公知の範囲から適宜選択することにより本発明を同様に実施し、同様の効果を得ることができる限り、本発明の範囲に包含される。
【００９８】
各具体例のいずれか２つ以上の要素を技術的に可能な範囲で組み合わせたものも、本発明の要旨を包含する限り本発明の範囲に含まれる。
【００９９】
その他、本発明の実施形態として上述したサイドレール及びベッド装置を基にして、当業者が適宜設計変更して実施し得る全てのサイドレール及びベッド装置も、本発明の要旨を包含する限り、本発明の範囲に属する。
【０１００】
その他、本発明の思想の範疇において、当業者であれば、各種の変更例及び修正例に想到し得るものであり、それら変更例及び修正例についても本発明の範囲に属するものと了解される。
【符号の説明】
【０１０１】
１１…第１部材、  １１ｄ…凹部、  １１ｓｐ…第１周囲部、  １２…第２部材、  １２Ｍ…マーク部、  １２ｆ、１２ｇ…第１、第２部材面、  １２ｐ、１２ｑ…第１、第２部分、  １２ｐｅ…端部、  １２ｓ…レール側面、  １３…第３部材、  １６…横桟、  １６ｓ…指ばさみ防止ストッパ、  ２１〜２４…第１〜第４連結部、  ２１Ａ…矢印、  ３１…スライド部、  ３１Ａ…矢印、  ３１ｆ…第１スライド面、  ３１ｆａ…第１端部、  ３１ｆｂ…第２端部、  ３１ｆｃ…中間部、  ３１ｇ…第２スライド面、  ３１ｐ、３１ｑ…第１、第２スライド領域、  ３５…可動部材、  ３６…弾性部材、  ７０Ｂ…ベッド部、  ７０ａ…背ボトム、  ７０ｂ…膝ボトム、  ７０ｃ…脚ボトム、  ７０ｄ…腰ボトム、  ７１…ベッドボトム、  ７５Ａ…アクチュエータ、  ７５Ｂ…ベッドフレーム、  ７５Ｂｈ…孔、  ７５Ｃ…キャスタ、  ７５Ｌ…リンク機構、  ７５Ｓ…ベースフレーム、  ７６…マットレス、  ７８Ｆ…フットボード、  ７８Ｈ…ヘッドボード、  ８２ａ…第１指、  ８２ｂ…第２指、  ８２ｅ…第５指、  ８２ｈ…操作者、  ８２ｐ…手のひら、  θ１〜θ４…第１〜第４角度、  １１０、１１０Ａ、１１０Ｌ、１２０、１２１、１３０、１３１、１４０、１４１…サイドレール、  ２１０、２１０Ａ、２２０〜２２２、２３０、２４０…ベッド装置、  Ｄｚ１〜Ｄｚ３…距離、  Ｈ１、Ｈ２…高さ、  ＰＸ１、ＰＸ２…第１、第２位置、  ＳＬＫ…ロック状態、  ＳＴ１〜ＳＴ３…第１〜第３状態、  ＳＵＬ…非ロック状態、  ｄ１、ｄ２…第１、第２距離
【図１】
2020199073.tif 000003
【図２】
2020199073.tif 000004
【図３】
2020199073.tif 000005
【図４】
2020199073.tif 000006
【図５】
2020199073.tif 000007
【図６】
2020199073.tif 000008
【図７】
2020199073.tif 000009
【図８】
2020199073.tif 000010
【図９】
2020199073.tif 000011
【図１０】
2020199073.tif 000012
【図１１】
2020199073.tif 000013
【図１２】
2020199073.tif 000014
【図１３】
2020199073.tif 000015
【図１４】
2020199073.tif 000016